(57)【要約】【課題】リフォームにおいて、意匠性を損なうことなく枠体等の建材を覆うことのできるカバー材及びカバー材施工方法を提供すること。【解決手段】。見込面５１及び見付面５２が略垂直に交わる角部５３を有する縦枠５０を覆うリフォーム用のカバー材１であって、見付面５２を覆う第１カバー材１０と、見込面５１を覆う第２カバー材２０と、を備え、第１カバー材１０は、見付面５２の角部５３側の端部まで覆う第１カバー材本体部１１を備え、第２カバー材２０は、見込面５１を覆う第２カバー材本体部２１と、第２カバー材本体部２１の角部５３側の端部から第１カバー材１０側に略直角に屈曲して延出し、且つ、第１カバー材１０の角部５３側の端部を覆う第２カバー材延出部２２と、を備えるカバー材１。【選択図】図１
2015010404.tif 000002
【特許請求の範囲】
【請求項１】
一対の平面が略垂直に交わる第１の角部を有する建材を覆うリフォーム用のカバー材であって、
前記一対の平面のうち一方の平面を覆う第１カバー材と、
前記一対の平面のうち他方の平面を覆う第２カバー材と、を備え、
前記第１カバー材は、前記一方の平面の前記第１の角部側の端部まで覆う第１カバー材本体部を備え、
前記第２カバー材は、前記他方の平面を覆う第２カバー材本体部と、当該第２カバー材本体部の前記第１の角部側の端部から前記第１カバー材側に略直角に屈曲して延出し、且つ、前記第１カバー材の前記第１の角部側の端部を覆う第２カバー材延出部と、を備えるカバー材。
【請求項２】
前記第２カバー材本体部は、内側の面に、前記第２カバー材本体部及び前記第２カバー材延出部の境界線が延びる方向に形成された複数のガイド溝を有する請求項１記載のカバー材。
【請求項３】
前記建材は、前記一対の平面のうち一方の平面を介して第１の角部と対向する第２の角部を更に有し、
前記第１カバー材は、第１カバー材本体部の第２の角部側の端部から略直角に屈曲して延出した第１カバー材延出部を更に有し、
前記第１カバー材本体部及び前記第１カバー材延出部の接続部分は、硬質樹脂からなり、前記接続部分以外の部分は、前記硬質樹脂よりも軟らかい半硬質樹脂からなる請求項１又は２記載のカバー材。
【請求項４】
前記第１カバー材本体部及び前記第１カバー材延出部は、内側の面に、前記第１カバー材本体部及び前記第１カバー材延出部の境界線が延びる方向に形成された複数のガイド溝を有する請求項３記載のカバー材。
【請求項５】
一対の平面が略垂直に交わる第１の角部を有する建材を、第１カバー材と、第２カバー材と、を用いて覆うカバー材施工方法であって、
前記第１カバー材は、第１カバー材本体部を有し、
前記第２カバー材は、第２カバー材本体部と、前記第２カバー材本体部の端部から略直角に屈曲して延出した第２カバー材延出部と、を有し、
前記一対の面のうち一方の面を、前記第１カバー材本体部によって前記第１の角部側の端部まで覆う第１工程と、
前一対の面のうち他方の面を、前記第２カバー材本体部によって覆うとともに、前記第１カバー材本体部の前記第１の角部側の端部を、前記第２カバー材延出部によって覆う第２工程と、を有するカバー材施工方法。
【請求項６】
前記第２カバー材本体部は、内側の面に、前記第２カバー材本体部及び前記第２カバー材延出部の境界線が延びる方向に形成された複数のガイド溝を有する請求項５記載のカバー材施工方法。
【請求項７】
前記建材は、前記一対の平面のうち一方の平面を介して第１の角部と対向する第２の角部を更に有し、
前記第１カバー材は、前記第１カバー材本体部の端部から略直角に屈曲して延出した第１カバー材延出部を更に有し、
前記第１カバー材本体部及び前記第１カバー材延出部の接続部分は、硬質樹脂からなり、前記接続部分以外の部分は、前記硬質樹脂よりも軟らかい半硬質樹脂からなり、
前記第１工程では、前記接続部分によって前記第２の角部を覆う請求項５又は６記載のカバー材施工方法。
【請求項８】
前記第１カバー材本体部及び前記第１カバー材延出部は、内側の面に、前記第１カバー材本体部及び前記第１カバー材延出部の境界線が延びる方向に形成された複数のガイド溝を有する請求項７記載のカバー材施工方法。
【請求項９】
建材を覆うリフォーム用のカバー材であって、
板状の第１カバー材と、
前記第１カバー材の端面を覆い、前記第１カバー材の端部に重なるように伸びる延出部を備える第２カバー材からなり、
前記第２カバー材は、前記第１カバー材の両端部に前記延出部が対向するように設けられることを特徴とするカバー材。
【発明の詳細な説明】
【技術分野】
【０００１】
本発明は、カバー材及びカバー材施工方法に関する。より詳しくは、リフォームにおいて枠を覆うためのカバー材及びカバー材施工方法に関する。
【背景技術】
【０００２】
従来、住宅等のリフォームにおいて、扉を付け替えた際に、壁の開口部に設けられた枠体に丁番やラッチ受けを取り付けた設置跡や傷跡が問題になっている。このような設置跡や傷跡は、塗装により隠蔽することが考えられる。しかし、塗装によって傷跡等を隠蔽しようとした場合、塗装のむら等によって、枠体の意匠性が低下してしまう場合があった。
【０００３】
このような問題に対して、枠を覆うカバー材を用いることで枠体の意匠性を向上させる技術が知られている。
【先行技術文献】
【特許文献】
【０００４】
【特許文献１】特開２００１−２３４６６６号公報
【発明の概要】
【発明が解決しようとする課題】
【０００５】
図８は、枠体を従来のカバー材によって覆った状態の水平方向部分断面図である。
図８に示すように、枠６０は、カバー材７０，８０によって覆われている。カバー材７０，８０は、それぞれ枠６０の角部６１，６２の形状に沿うように屈曲している。このような、カバー材７０，８０の形状によって、角部６１，６２を有する枠６０を覆うことが可能になる。
【０００６】
しかしながら、このような従来のカバー材７０，８０では、枠の寸法によってカバー材７０，８０が重複する部分の位置にばらつきが出てしまう。また、カバー材７０，８０が、枠１００を構成する面の中央で重複してしまい、カバー材７０，８０の繋ぎ目が目立つことから、意匠性の低下を招いてしまうことがあった。
【０００７】
本発明は、このような問題に鑑みてなされたものであり、リフォームにおいて、意匠性を損なうことなく枠体等の建材を覆うことのできるカバー材及びカバー材施工方法を提供することを目的とする。
【課題を解決するための手段】
【０００８】
上記目的を達成するため本発明は、一対の平面（例えば、後述の見込面５１，見付面５２）が略垂直に交わる第１の角部（例えば、後述の角部５３）を有する建材（例えば、後述の縦枠５０）を覆うリフォーム用のカバー材（例えば、後述のカバー材１）であって、前記一対の平面のうち一方の平面を覆う第１カバー材（例えば、後述の第１カバー材１０）と、前記一対の平面のうち他方の平面を覆う第２カバー材（例えば、後述の第２カバー材２０）と、を備え、前記第１カバー材は、前記一方の平面の前記第１の角部側の端部まで覆う第１カバー材本体部（例えば、後述の第１カバー材本体部１１）を備え、前記第２カバー材は、前記他方の平面を覆う第２カバー材本体部（例えば、後述の第２カバー材本体部２１）と、当該第２カバー材本体部の前記第１の角部側の端部から前記第１カバー材側に略直角に屈曲して延出し、且つ、前記第１カバー材の前記第１の角部側の端部を覆う第２カバー材延出部（例えば、後述の第２カバー材延出部２２）と、を備えるカバー材を提供する。
これにより、枠体等の建材を覆った第１カバー材と第２カバー材の繋ぎ目が、角部付近になる。繋ぎ目が、角部付近になれば、外部からも目立たず、意匠性を損なうことなく枠体等の建材を覆うことができる。
また、カバー材と建材との間に空隙も生じないので、リフォーム後のカバー材の強度が高くなる。
【０００９】
また、前記第２カバー材本体部は、内側の面に、前記第２カバー材本体部及び前記第２カバー材延出部の境界線が延びる方向に形成された複数のガイド溝（例えば、後述のガイド溝２３）を有することが好ましい。
これにより、第２カバー材をガイド溝に沿って切断することが可能になる。第２カバー材をガイド溝に沿って切断することで、リフォームする建材の大きさに対応して、第２カバー材を適切な大きさに調整できる。
【００１０】
また、前記建材は、前記一対の平面のうち一方の平面を介して第１の角部と対向する第２の角部（例えば、後述の角部５５）を更に有し、前記第１カバー材は、第１カバー材本体部の第２の角部側の端部から略直角に屈曲して延出した第１カバー材延出部（例えば、後述の第１カバー材延出部１２）を更に有し、前記第１カバー材本体部及び前記第１カバー材延出部の接続部分（例えば、後述の接続部分１３）は、硬質樹脂からなり、前記接続部分以外の部分は、前記硬質樹脂よりも軟らかい半硬質樹脂からなることが好ましい。
これにより、第２の角部を硬質樹脂によって覆うことができるので、第２の角部の周辺の強度が高くなる。更には、第１カバー材の、第１カバー材本体部及び第１カバー材延出部の接続部分以外の部分を、硬質樹脂よりも軟らかい半硬質樹脂によって構成することで、リフォームする建材の表面の多少の歪みに、柔軟性のある第１カバー材の形状を変化させることで対応することができる。
【００１１】
また、前記第１カバー材本体部及び前記第１カバー材延出部は、内側の面に、前記第１カバー材本体部及び前記第１カバー材延出部の境界線が延びる方向に形成された複数のガイド溝（例えば、後述のガイド溝１５）を有することが好ましい。
これにより、第１カバー材をガイド溝に沿って切断することが可能になる。第１カバー材をガイド溝に沿って切断することで、リフォームする建材の大きさに対応して、第１カバー材を適切な大きさに調整できる。
【００１２】
また、本発明は、一対の平面（例えば、後述の見込面５１，見付面５２）が略垂直に交わる第１の角部（例えば、後述の角部５３）を有する建材（例えば、後述の縦枠５０）を、第１カバー材（例えば、後述の第１カバー材１０）と、第２カバー材（例えば、後述の第２カバー材２０）と、を用いて覆うカバー材施工方法であって、前記第１カバー材は、第１カバー材本体部（例えば、後述の第１カバー材本体部１１）を有し、前記第２カバー材は、第２カバー材本体部（例えば、後述の第２カバー材本体部２１）と、前記第２カバー材本体部の端部から略直角に屈曲して延出した第２カバー材延出部（例えば、後述の第２カバー材延出部２２）と、を有し、前記一対の面のうち一方の面を、前記第１カバー材本体部によって前記第１の角部側の端部まで覆う第１工程と、前一対の面のうち他方の面を、前記第２カバー材本体部によって覆うとともに、前記第１カバー材本体部の前記第１の角部側の端部を、前記第２カバー材延出部によって覆う第２工程と、を有するカバー材施工方法を提供する。
これにより、枠体等の建材を覆った第１カバー材と第２カバー材の繋ぎ目が、角部付近になる。繋ぎ目が、角部付近になれば、外部からも目立たず、意匠性を損なうことなく枠体等の建材を覆うことができる。
また、カバー材と建材との間に空隙も生じないので、施工後のカバー材の強度が高くなる。
【００１３】
また、前記第２カバー材本体部は、内側の面に、前記第２カバー材本体部及び前記第２カバー材延出部の境界線が延びる方向に形成された複数のガイド溝（例えば、後述のガイド溝２３）を有することが好ましい。
これにより、第２カバー材をガイド溝に沿って切断することが可能になる。第２カバー材をガイド溝に沿って切断することで。リフォームする建材の大きさに対応して、第２カバー材を適切な大きさに調整した上で、リフォームに用いることができる。
【００１４】
また、前記建材は、前記一対の平面のうち一方の平面を介して第１の角部と対向する第２の角部（例えば、後述の角部５５）を更に有し、前記第１カバー材は、前記第１カバー材本体部の端部から略直角に屈曲して延出した第１カバー材延出部（例えば、後述の第１カバー材延出部１２）を更に有し、前記第１カバー材本体部及び前記第１カバー材延出部の接続部分（例えば、後述の接続部分１３）は、硬質樹脂からなり、前記接続部分以外の部分は、前記硬質樹脂よりも軟らかい半硬質樹脂からなり、前記第１工程では、前記接続部分によって前記第２の角部を覆うことが好ましい。
これにより、第２の角部を硬質樹脂によって覆うことができるので、第２の角部の周辺の強度が高くなる。更には、第１カバー材の、第１カバー材本体部及び第１カバー材延出部の接続部分以外の部分を、硬質樹脂よりも軟らかい半硬質樹脂によって構成することで、リフォームする建材の表面の多少の歪みに、柔軟性のある第１カバー材の形状を変化させることで対応することができる。
【００１５】
また、前記第１カバー材本体部及び前記第１カバー材延出部は、内側の面に、前記第１カバー材本体部及び前記第１カバー材延出部の境界線が延びる方向に形成された複数のガイド溝（例えば、後述のガイド溝１５）を有することが好ましい。
これにより、第１カバー材をガイド溝に沿って切断することが可能になる。第１カバー材をガイド溝に沿って切断することで。リフォームする建材の大きさに対応して、第１カバー材を適切な大きさに調整した上で、リフォームに用いることができる。
【００１６】
また、本発明は、建材（例えば、後述の縦枠５０）を覆うリフォーム用のカバー材（例えば、後述のカバー材１）であって、板状の第１カバー材（例えば、後述の第１カバー材１０Ｂ）と、前記第１カバー材の端面を覆い、前記第１カバー材の端部に重なるように伸びる延出部を備える第２カバー材（例えば、後述の第２カバー材２０Ｂ，２０Ｂ）からなり、前記第２カバー材は、前記第１カバー材の両端部に前記延出部が対向するように設けられることを特徴とするカバー材を提供する。
これにより、枠体等の建材を覆った第１カバー材と一対の第２カバー材との繋ぎ目が、対向する一対の角部付近になる。カバー材の繋ぎ目が、角部付近になれば、外部からも目立たず、意匠性を損なうことなく枠体等の建材を覆うことができる。
また、カバー材と建材との間に空隙も生じないので、施工後のカバー材の強度が高くなる。
【発明の効果】
【００１７】
本発明によれば、リフォームにおいて、意匠性を損なうことなく枠体等の建材を覆うことのできるカバー材及びカバー材施工方法を提供することができる。
【図面の簡単な説明】
【００１８】
【図１】本発明の実施形態に係るカバー材の使用状態を示す図である。
【図２】上記実施形態に係るカバー材の第１カバー材の斜視図である。
【図３】第１カバー材の平面図である。
【図４】上記実施形態に係るカバー材の第２カバー材の斜視図である。
【図５】上記実施形態に係るカバー材の第１カバー材及び第２カバー材の水平方向の拡大断面図であって、ガイド溝について示す断面図である。
【図６】本発明の実施形態に係るカバー材施工方法について示す図である。
【図７】本発明の実施形態に係るカバー材施工方法について示す図である。
【図８】従来のカバー材の使用状態を示す図である。
【発明を実施するための形態】
【００１９】
以下、本発明の実施形態について図面を参照しながら詳しく説明する。
【００２０】
＜カバー材＞
本実施形態に係るカバー材は、一対の平面が略垂直に交わる角部を有する建材を覆うリフォーム用のカバー材１であって、第１カバー材１０（１０Ａ，１０Ｂ）と、第２カバー材２０（２０Ａ，２０Ｂ）と、を含んで構成される。
図１は、カバー材１の使用状態を示す図であり、壁３０の開口部に設けられた、建材としての縦枠４０の水平方向の断面図である。
図１に示すように、縦枠４０は、縦枠本体部４１と、戸当り部４２と、を有する。
【００２１】
縦枠本体部４１は、壁３０に固定される。縦枠本体部４１は、壁３０側の見込面４１１，４１１と、壁３０側とは逆側の見込面４１２，４１２と、見付面４１３，４１３と、を含んで形成される。更に、縦枠本体部４１は、見込面４１１，４１１と見付面４１３，４１３が略垂直に交わる角部４１４，４１４と、見込面４１２，４１２と見付面４１３，４１３が略垂直に交わる角部４１５，４１５と、を含んで形成される。
戸当り部４２は、縦枠本体部４１の見込面４１２側に、上下方向に延びて形成される。戸当り部４２は、見込面４２１と、見付面４２２，４２２と、を含んで形成される。更に、戸当り部４２は、見込面４２１と見付面４２２，４２２が略垂直に交わる角部４２３，４２３を含んで形成される。
【００２２】
図１に示すように、見込面４１１は第２カバー材２０Ａによって覆われ、見込面４１２は第１カバー材１０Ａによって覆われ、見付面４１３は第１カバー材１０Ａによって覆われる。
また、見込面４２１は第１カバー材１０Ｂによって覆われ、見付面４２２は第２カバー材２０Ｂによって覆われる。
続いて、第１カバー材１０と第２カバー材について、図面を参照しながら詳細に説明する。
【００２３】
＜第１カバー材＞
図２は、第１カバー材１０の斜視図である。第１カバー材１０は、本来高さ方向に長い部材であるが（例えば、高さ方向の長さが３ｍ）、図２では、便宜的に第１カバー材１０の上部分の斜視図を示している。図３は、第１カバー材１０の平面図である。
第１カバー材１０は、第１カバー材本体部１１と、第１カバー材本体部の端部から略直角に屈曲して延出した第１カバー材延出部１２と、を有する。
【００２４】
第１カバー材本体部１１及び第１カバー材延出部１２の接続部分１３は、硬質樹脂からなる。硬質樹脂としては、アクリロニトリル−ブタジエン−スチレン（ＡＢＳ）樹脂、ＡＥＳ、ＰＰ、ＰＶＣ等が挙げられる。
第１カバー材本体部１１及び第１カバー材延出部１２の接続部分１３以外の部分１４は、硬質樹脂よりも軟らかい半硬質樹脂からなる。半硬質樹脂としてはＡＢＳ樹脂とエラストマーの複合材、ＡＥＳとエラストマーの複合材、半硬質ＰＰ、半硬質ＰＶＣ等が挙げられる。
【００２５】
また、部分１４は、内側の面に、第１カバー材本体部１１及び第１カバー材延出部１２の境界線が延びる方向、即ち、高さ方向に形成された複数のガイド溝１５を有する。カッターナイフ等の刃物の刃を、ガイド溝１５に沿って数回滑らせれば、刃を滑らせたガイド溝１５に沿って第１カバー材１０を切断することができる。ガイド溝１５の構造については、後段で詳述する。第１カバー材１０は、接続部分１３の硬質樹脂と部分１４の半硬質樹脂とを一体とした樹脂成形体は、二色押出成形によって得ることができる。
第１カバー材１０には、外側の表面に、例えば木目調のフィルムが貼り付けられる。
【００２６】
＜第２カバー材＞
図４は、第２カバー材２０の斜視図である。第２カバー材２０は、本来高さ方向に長い部材であるが（例えば、高さ方向の長さが３ｍ）、図４では、便宜的に第２カバー材２０の上部分の斜視図を示している。
第２カバー材２０は、第２カバー材本体部２１と、第２カバー材本体部２１の端部から略直角に屈曲して延出した第２カバー材延出部２２と、を有する。
【００２７】
第２カバー材本体部２１は、第２カバー材本体部２１及び第２カバー材延出部２２の境界線の延びる方向、即ち、高さ方向に形成された複数のガイド溝２３を有する。カッターナイフ等の刃物の刃を、ガイド溝２３に沿って数回滑らせれば、刃を滑らせたガイド溝２３に沿って第２カバー材２０を切断することができる。
【００２８】
第２カバー材延出部２２は、第２カバー材本体部２１の端部から若干延出していればよいが、第２カバー材延出部２２は、基端から先端までの距離Ｌが１〜２ｍｍであることが好ましい。また、第２カバー材延出部２２は、先端部分２２１の外面が曲面である。
【００２９】
第２カバー材２０は、上記の第１カバー材１０の部分１４を構成する半硬質樹脂に相当する樹脂からなる。第２カバー材２０は、半硬質樹脂を押出成形することで得られる。
【００３０】
続いて、図４とともに図５を参照しながらガイド溝２３について説明する。図５は、第２カバー材２０の水平方向の拡大断面図であって、ガイド溝２３について示す断面図である。
図４に示すように、ガイド溝２３は、第２カバー材本体部２１の、第２カバー材本体部２１及び第２カバー材延出部２２の境界線から所定の距離離れた位置から連続して多数形成される。図５に示すように、ガイド溝２３は、平面２３１，２３１を含んで形成される。隣り合うガイド溝２３同士の間には、平面２３２が存在する。
【００３１】
隣り合うガイド溝２３同士の距離Ｄは、１ｍｍである。距離Ｄを１ｍｍとすることで、リフォームに用いる第２カバー材２０の大きさを細かく調整することが可能である。
平面２３１，２３１の角度αは、４５°である。角度αは、４５〜６０°であることが好ましい。角度αが４５°未満の場合、ガイド溝２３に刃を滑らせるのが難しくなってしまう傾向にある。角度αが６０°よりも大きい場合、平面２３２が狭くなるので第２カバー材２０を建材に強固に固定するのが難しくなってしまう傾向にあり、且つ、ガイド溝２３に滑らせる刃がぶれやすくなってしまう傾向にもある。
【００３２】
なお、第１カバー材１０の部分１４に形成された複数のガイド溝１５は、ガイド溝２３と同様の構造であるので説明を省略する。
【００３３】
＜カバー材施工方法＞
続いて、図６及び図７を参照しながら本実施形態に係るカバー材１を用いたカバー材施工方法について説明する。
本実施形態のカバー材施工方法は、一対の平面としての見込面５１と見付面５２が略垂直に交わる角部５３を有する建材としての縦枠５０を、第１カバー材１０と、第２カバー材２０と、を用いて覆うカバー材施工方法であって、第１工程と、第２工程と、を有する。図６及び図７は、縦枠５０並びに縦枠５０を覆った第１カバー材１０及び第２カバー材２０の水平方向の断面図である。
縦枠５０は、より詳しくは、見込面５１、見付面５２及び見込面５４を含んで形成される。更に、縦枠５０は、見込面５１と見付面５２が略垂直に交わる角部５３と、見付面５２と見込面５４が略垂直に交わる角部５５と、を含んで形成される。つまり、角部５５は、見付面５２を介して角部５３と対向する。
【００３４】
第１工程では、図６に示すように、見付面５２を、第１カバー材本体部１１によって角部５３側の端部まで覆う。
第１工程において用いられる第１カバー材１０の第１カバー材本体部１１は、適切なガイド溝１５に沿って切断することで、見付面５２の幅方向の長さに対応した適切な大きさに調整することができる。第１カバー材延出部１２についても同様に、ガイド溝１５に沿って切断することで、見込面５４の幅方向の長さに対応した適切な大きさに調整することができる。
【００３５】
このように、第１カバー材本体部１１は、見付面５２の角部５３側の端部まで覆うのに対して、第１カバー材延出部１２は、見込面５４を覆い、角部５５の周辺には、接続部分１３が位置する。
第１カバー材１０の縦枠５０への接着方法は特に限定されないが、両面テープ若しくは接着剤又はこれらを併用することによって行うことができる。
【００３６】
第２工程では、図７に示すように、見込面５１を、第２カバー材本体部２１によって覆うとともに、第１カバー材本体部１１の角部５３側の端部を、第２カバー材延出部２２によって覆う。
第２工程において用いられる第２カバー材２０の第２カバー材本体部２１は、適切なガイド溝２３に沿って切断することで、見込面５１の幅方向の長さに対応した適切な大きさに調整できる。
【００３７】
第２カバー材延出部２２は、意匠性の観点から、第１カバー材本体部１１の表面の角部５３側の端部から１〜２ｍｍの領域を覆うことが好ましい。
【００３８】
第２カバー材２０の縦枠５０及び第１カバー材本体部１１への接着方法は特に限定されないが、両面テープ若しくは接着剤又はこれらを併用することによって行うことができる。
【００３９】
本実施形態によれば、以下の効果が奏される。
（１）本実施形態に係るカバー材１は、第１カバー材１０と、第２カバー材２０と、を備え、第１カバー材１０は、見付面５２を覆う第１カバー材本体部１１を備え、第２カバー材２０は、見込面５１を覆う第２カバー材本体部２１と、第２カバー材本体部２１の角部５３側の端部から第１カバー材１０側に略直角に屈曲して延出し、且つ、第１カバー材１０の角部５３側の端部を覆う第２カバー材延出部２２と、を備えるものとした。
これにより、縦枠５０を覆った第１カバー材１０と第２カバー材２０の繋ぎ目が、角部５３付近になる。繋ぎ目が、角部５３付近になれば、外部からも目立たず、意匠性を損なうことなく縦枠５０を覆うことができる。
また、カバー材１と縦枠５０との間に空隙も生じないので、リフォーム後のカバー材１の強度が高くなる。
【００４０】
（２）本実施形態に係るカバー材１では、第２カバー材本体部２１の内側の面に、第２カバー材本体部２１及び第２カバー材延出部２２の境界線が延びる方向に形成された複数のガイド溝２３を設けた。
これにより、第２カバー材２０をガイド溝２３に沿って切断することが可能になる。第２カバー材２０をガイド溝２３に沿って切断することで、リフォームする建材の大きさに対応して、第２カバー材２０を適切な大きさに調整できる。
【００４１】
（３）本実施形態に係るカバー材１では、第１カバー材１０は、第１カバー材本体部１１の角部５５側の端部から略直角に屈曲して延出した第１カバー材延出部１２を更に有するものとした。また、第１カバー材本体部１１及び前記第１カバー材延出部１２の接続部分１３は、硬質樹脂からなり、接続部分１３以外の部分１４は、前記硬質樹脂よりも軟らかい半硬質樹脂からなるものとした。
これにより、角部５５を硬質樹脂によって覆うことができるので、角部５５の周辺の強度が高くなる。更には、第１カバー材１０の、第１カバー材本体部１１及び第１カバー材延出部１２の接続部分１３以外の部分１４を、硬質樹脂よりも軟らかい半硬質樹脂によって構成することで、縦枠等のリフォームする建材の表面の多少の歪みに、柔軟性のある第１カバー材１０の形状を変化させることで対応することができる。
【００４２】
（４）本実施形態に係るカバー材１では、第１カバー材本体部及び第１カバー材延出部の内側の面に、第１カバー材本体部及び第１カバー材延出部の境界線が延びる方向に形成された複数のガイド溝１５を設けた。
これにより、第１カバー材１０をガイド溝１５に沿って切断することが可能になる。第１カバー材１０をガイド溝１５に沿って切断することで、リフォームする建材の大きさに対応して、第１カバー材１０を適切な大きさに調整できる。
【００４３】
（５）本実施形態に係るカバー材１を用いたカバー材施工方法では、第１工程において、見付面５２を第１カバー材本体部１１によって角部５３側の端部まで覆い、第２工程において、見込面５１を、第２カバー材本体部２１によって覆うとともに、第１カバー材本体部１１の角部５３側の端部を、第２カバー材延出部２２によって覆った。
これにより、枠体等の建材を覆った第１カバー材と第２カバー材の繋ぎ目が、角部付近になる。繋ぎ目が、角部付近になれば、外部からも目立たず、意匠性を損なうことなく枠体等の建材を覆うことができる。
また、カバー材１と縦枠５０との間に空隙も生じないので、施工後のカバー材１の強度が高くなる。
【００４４】
（６）本実施形態に係るカバー材１を用いたカバー材施工方法では、第２カバー材本体部２１の内側の面に、第２カバー材本体部２１及び第２カバー材延出部２２の境界線が延びる方向に形成された複数のガイド溝２３を設けた。
これにより、第２カバー材２０をガイド溝２３に沿って切断することが可能になる。第２カバー材２０をガイド溝２３に沿って切断することで。リフォームする建材の大きさに対応して、第２カバー材２０を適切な大きさに調整した上で、リフォームに用いることができる。
【００４５】
（７）本実施形態に係るカバー材１を用いたカバー材施工方法では、第１カバー材１０は、第１カバー材本体部１１の端部から略直角に屈曲して延出した第１カバー材延出部１２を更に有するものとした。また、第１カバー材本体部１１及び前記第１カバー材延出部１２の接続部分１３は、硬質樹脂からなり、接続部分１３以外の部分１４は、前記硬質樹脂よりも軟らかい半硬質樹脂からなるものとし、第１工程では、接続部分１３によって角部５５を覆う。
これにより、角部５５を硬質樹脂によって覆うことができるので、角部５５の周辺の強度が高くなる。更には、第１カバー材１０の、第１カバー材本体部１１及び第１カバー材延出部の接続部分１３以外の部分１４を、硬質樹脂よりも軟らかい半硬質樹脂によって構成することで、リフォームする縦枠５０の表面の多少の歪みに、柔軟性のある第１カバー材１０の形状を変化させることで対応することができる。
【００４６】
（８）本実施形態に係るカバー材１を用いたカバー材施工方法では、第１カバー材本体部１１及び第１カバー材延出部１２の内側の面に、第１カバー材本体部及び第１カバー材延出部の境界線が延びる方向に形成された複数のガイド溝１５を設けた。
これにより、第１カバー材１０をガイド溝１５に沿って切断することが可能になる。第１カバー材１０をガイド溝１５に沿って切断することで。リフォームする縦枠５０の大きさに対応して、第１カバー材１０を適切な大きさに調整した上で、リフォームに用いることができる。
【００４７】
（９）なお、本実施形態においては、第１カバー材１０が、第１カバー材本体部１１と第１カバー材延出部１２とを有するものとして説明したが、第１カバー材は、図１において戸当り部４２の見込面４２１を覆う第１カバー材１０Ｂのような、第１カバー材延出部を有さない矩形板状の部材としてもよい。例えば、第１カバー材１０Ｂとしては、第１カバー材１０をガイド溝１５に沿って切断して得られる矩形板状の部材を用いてもよい。
【００４８】
図１の戸当り部４２は、見込面４２１と、見込面４２１を介して対向する一対の見付面４２２，４２２と、を含んで形成される。
縦枠５０の戸当り部４２を覆うリフォーム用のカバー材１は、板状の第１カバー材１０Ｂと、第１カバー材１０Ｂの角部４２３，４２３側の端面を覆い、第１カバー材１０Ｂの端部に重なるように伸びる延出部を備える第２カバー材２０Ｂ，２０Ｂからなる。一対の第２カバー材２０Ｂ，２０Ｂは、第１カバー材１０Ｂの両端部に、それぞれの前記延出部が対向するように設けられる。
【００４９】
これにより、縦枠５０の戸当り部４２を覆った第１カバー材１０Ｂと一対の第２カバー材２０Ｂ，２０Ｂとの繋ぎ目が、対向する一対の角部４２３，４２３付近になる。カバー材の繋ぎ目が、角部４２３，４２３付近になれば、外部からも目立たず、意匠性を損なうことなく縦枠５０の戸当り部４２を覆うことができる。
また、カバー材と縦枠５０との間に空隙も生じないので、施工後のカバー材の強度が高くなる。
【００５０】
なお、本発明は上記実施形態に限定されるものではなく、本発明の目的を達成できる範囲での変形、改良等は本発明に含まれる。
例えば、本実施形態においては、カバー材１によって縦枠４０を覆ったが、カバー材によってリフォームする対象は、建材であれば特に限定されない。
【００５１】
また、本実施形態においては、第２カバー材延出部２２の先端部分２２１の外面を曲面としたが、先端部分２２１は傾斜面としてもよい。
【００５２】
また、本実施形態においては、カバー材１の第１カバー材１０にガイド溝１５を、第２カバー材２０にガイド溝２３をそれぞれ設けたが、これらのガイド溝を設けなくてもよい。つまり、第１カバー材１０と第２カバー材２０の一方、あるいは両方の内側の面を平坦な面としてもよい。
【符号の説明】
【００５３】
１…カバー材
１０…第１カバー材
１１…第１カバー材本体部
１２…第１カバー材延出部
１３…接続部分
１５…ガイド溝
２０…第２カバー材
２１…第２カバー材本体部
２２…第２カバー材延出部
２２１…先端部分
２３…ガイド溝
５０…縦枠（建材）
５１…見込面
５２…見付面
５３…角部（第１の角部）
５５…角部（第２の角部）
【図１】
2015010404.tif 000003
【図２】
2015010404.tif 000004
【図３】
2015010404.tif 000005
【図４】
2015010404.tif 000006
【図５】
2015010404.tif 000007
【図６】
2015010404.tif 000008
【図７】
2015010404.tif 000009
【図８】
2015010404.tif 000010